(57)【特許請求の範囲】
【請求項１】
前面パネルに設けられた円形状の空気吹出口を覆うファンガードを有する空気調和機の室外機において、
前記ファンガードは、
渦巻状に形成され、中央部に穴を有する渦巻ワイヤーと、
前記穴を覆うセンターキャップと、
前記渦巻ワイヤーの外周を囲むように環状に形成され、当該環状の両端の一端部と他端部とが前記渦巻ワイヤーの外周側端部の位置で当該渦巻ワイヤーの径方向にずれて接合された外枠ワイヤーと
を有する空気調和機の室外機。
【請求項２】
前記センターキャップから放射状に延びて前記渦巻ワイヤー及び前記外枠ワイヤーを跨ぐ放射状桟を有し、
前記渦巻ワイヤーの外周側端部が前記放射状桟に接合されている請求項１記載の空気調和機の室外機。
【請求項３】
前記外枠ワイヤーの一端部と前記渦巻ワイヤーの外周側端部との間に前記外枠ワイヤーの他端部を設けた請求項１又は２記載の空気調和機の室外機。
【請求項４】
前記外枠ワイヤーの一端部と他端部との間に前記渦巻ワイヤーの外周側端部を設けた請求項１又は２記載の空気調和機の室外機。
【請求項５】
前記渦巻ワイヤーの内周側端部は、前記センターキャップの内側に配置されている請求項１〜４の何れか１項に記載の空気調和機の室外機。
【請求項６】
前記センターキャップには、当該センターキャップの外周部に前記放射状桟を固定する固定部が設けられている請求項２記載の空気調和機の室外機。
【請求項７】
前記センターキャップの外周部には、前記空気吹出口側に突出する外周枠部が設けられ、
前記固定部は、前記外周枠部から前記空気吹出口側に更に突出して設けられ、前記放射状桟を固定する溝部を有する請求項６記載の空気調和機の室外機。
【発明の詳細な説明】
【技術分野】
【０００１】
本発明は、渦巻状に形成された渦巻ワイヤーを備えたファンガードを有する空気調和機の室外機に関するものである。
【背景技術】
【０００２】
従来の空気調和機の室外機においては、渦巻ワイヤーを用いたファンガードを送風機の吹出し方向の前面に設け、送風機に対して手指が入らないように渦巻ワイヤー間の間隔が設定されている（例えば、特許文献１参照）。
【先行技術文献】
【特許文献】
【０００３】
【特許文献１】実開昭５５−８３６６３号公報
【発明の概要】
【発明が解決しようとする課題】
【０００４】
特許文献１におけるファンガードは、円形の外枠ワイヤーと渦巻ワイヤーとで構成されており、渦巻ワイヤーの外周と外枠ワイヤーにおいてはワイヤー間の間隔が一定せず、渦巻ワイヤー間の間隔よりも大きくなる部分が生じている。その部分の間隔を同様の構成で狭めようとすると、渦巻ワイヤー間の間隔が必要以上に狭められる。このように渦巻ワイヤー間の間隔を狭めた場合、渦巻ワイヤーの線材が長くなりコストが上がるという課題がある。
また、ファンガードは腐食防止のために樹脂材によるコーティングが施されているが、渦巻ワイヤー間の間隔を狭めると塗膜同士が表面張力により橋渡し（塗膜ブリッジ）されてしまう。塗膜ブリッジが生じた場合、意匠性が劣り、更には風路面積を減少させて空力性能が悪化するという課題がある。【０００５】
本発明は、前述のような課題を解決するためになされたもので、ファンガードの渦巻ワイヤー間の間隔を必要以上に狭めることのない空気調和機の室外機を提供することを目的とする。
【課題を解決するための手段】
【０００６】
本発明に係る空気調和機の室外機は、前面パネルに設けられた円形状の空気吹出口を覆うファンガードを有する空気調和機の室外機において、ファンガードは、渦巻状に形成され、中央部に穴を有する渦巻ワイヤーと、穴を覆うセンターキャップと、渦巻ワイヤーの外周を囲むように環状に形成され、当該環状の両端の一端部と他端部とが渦巻ワイヤーの外周側端部の位置で当該渦巻ワイヤーの径方向にずれて接合された外枠ワイヤーとを有している。
【発明の効果】
【０００７】
本発明によれば、渦巻状に形成された渦巻ワイヤーと、渦巻ワイヤーの外周を囲むように環状に形成され、当該環状の両端の一端部と他端部とが渦巻ワイヤーの外周側端部の位置で当該渦巻ワイヤーの径方向にずれて接合された外枠ワイヤーとを有している。この構成により、必要以上に渦巻ワイヤー間の間隔を狭める必要がないため、渦巻ワイヤーのコストを抑えることができ、渦巻ワイヤー間の塗膜ブリッジの発生を抑制でき、これに伴って空力性能の低下を抑えることができる。
【図面の簡単な説明】
【０００８】
【図１】本発明の実施の形態に係る空気調和機の室外機の外観を示す斜視図である。
【図２】図１の室外機から前面パネル及びファンガードを外した状態を示す部分斜視図である。
【図３】図１及び図２に示すファンガードの分解斜視図である。
【図４】図１及び図２に示すファンガードの正面図である。
【図５】図４におけるＸ部を拡大して示すファンガードの外周側の詳細図である。
【図６】図１におけるセンターキャップを拡大して示す正面図及び側面図である。
【図７】図６におけるセンターキャップの外周枠部の一部を拡大して示す側面図である。
【図８】図４におけるＹ部を拡大して示すファンガードの内周側の詳細図である。
【図９】図８のセンターキャップ及び渦巻ワイヤーの一部を矢視Ｚ−Ｚ方向から見て示す断面図である。
【発明を実施するための形態】
【０００９】
以下、本発明に係る空気調和機の室外機の実施の形態について、図面を用いて詳細に説明する。
【００１０】
実施の形態.
図１は本発明の実施の形態に係る空気調和機の室外機の外観を示す斜視図、図２は図１の室外機から前面パネル及びファンガードを外した状態を示す部分斜視図である。
本実施の形態における室外機１００は、図１及び図２に示すように、前面パネル１０と、前面パネル１０の左右に配置された側面パネル１１、１２と、前面パネル１０の奧側に設置された例えばＬ字形状の熱交換器３０と、前面パネル１０、側面パネル１１、１２及び熱交換器３０の上部を覆う天面パネル１３と、前面パネル１０に設けられたファンガード４０とで外観が形成されている。
【００１１】
前面パネル１０には、円形状に形成された空気吹出口１４が設けられている。この空気吹出口１４は、熱交換器３０の手前側に設置された送風機３１と対向しており、前述のファンガード４０によって覆われている。ファンガード４０は、前面パネル１０にネジ４１によって固定されている。側面パネル１２には、サービスカバー２０、バルブカバー２１が取り付けられている。送風機３１は、熱交換器３０を介して外気を吸引し、吸引した外気を前面パネル１０の前方へファンガード４０を通して吹き出す。
【００１２】
図３は図１及び図２に示すファンガードの分解斜視図、図４は図１及び図２に示すファンガードの正面図である。
ファンガード４０は、図３に示すように、環状に形成された外枠ワイヤー５０と、渦巻状に形成され、中央部に穴６０ａを有する渦巻ワイヤー６０と、渦巻ワイヤー６０の中央部に形成された円形状の穴６０ａを覆うセンターキャップ８０と、センターキャップ８０から放射状に延びて渦巻ワイヤー６０及び外枠ワイヤー５０を跨ぐ放射状桟７０とで構成されている。このファンガード４０は、腐食防止のために、樹脂材によるコーティングが施されている。
【００１３】
外枠ワイヤー５０、渦巻ワイヤー６０及び放射状桟７０は、軟鋼線材によって形成され、センターキャップ８０は、溶融亜鉛めっきが施された鋼板によって形成されている。なお、本実施の形態においては、外枠ワイヤー５０、渦巻ワイヤー６０及び放射状桟７０には軟鋼線材、センターキャップ８０には鋼板を用いているが、材料に限定されるものではない。
【００１４】
外枠ワイヤー５０は、渦巻ワイヤー６０の外周を囲むように配置され、放射状桟７０に接合されている。なお、外枠ワイヤー５０を１本としているが、本数に限定されるものではない。例えば、その外枠ワイヤー５０にもう１本の外枠ワイヤーを加えて２本としてもよい。その場合、もう１本の外枠ワイヤーは、外枠ワイヤー５０の外周を囲むように配置され、放射状桟７０に接合される。渦巻ワイヤー６０は、内周側端部を巻き始めとし、外周側端部を巻き終わりとし、手指が送風機３１側に入らないようにワイヤー間の間隔（図５に示すＳ１）が設定されている。この間隔Ｓ１は、一般的に間隔が５．０ｍｍ以下になると塗膜ブリッジが発生しやすくなるので、５．０ｍｍを超え、手指の入らない間隔である。
【００１５】
放射状桟７０は、例えば、一端部の形状が異なる３タイプの棒状桟７１、７２、７３からなり（合計８本）、それぞれ渦巻ワイヤー６０に形成された穴６０ａの軸心を直交するように配置されている。図４に示すように、棒状桟７１は鉛直方向の上下に配置され、棒状桟７３は水平方向の左右に配置されている。また、棒状桟７２は、棒状桟７１、７３の間にそれぞれ４５°の角度を成して配置されている。なお、棒状桟７１、７２、７３のタイプ及び本数は限定されるものではない。
【００１６】
棒状桟７１、７２、７３の一端部は、それぞれ空気吹出口１４側に直角に折り曲げられている。これは、渦巻ワイヤー６０の外周を囲む外枠ワイヤー５０の外周面に当接し八方から挟むためである。また、棒状桟７１の一端部の先端には、ネジ４１を挿入させる穴が形成されている。棒状桟７３は、前述したように、空気吹出口１４側に直角に折り曲げられ一端部の先端が更に下方に直角に折り曲げられている。これは、ファンガード４０を空気吹出口１４に取り付ける際の位置決めとなっている。棒状桟７１、７２、７３の他端部は、後述するが、センターキャップ８０に設けられた固定部８２によって固定されている。
【００１７】
ここで、ファンガード４０の外周側の構成について、図５を用いて説明する。
図５は図４におけるＸ部を拡大して示すファンガードの外周側の詳細図である。
本実施の形態においては、ファンガード４０の外枠を形成する外枠ワイヤー５０は、環状の両端の一端部５１と他端部５２とが渦巻ワイヤー６０の外周側端部６１ａの位置で渦巻ワイヤー６０の径方向にずれて外周側端部６１ａに接合されている。
【００１８】
つまり、渦巻ワイヤー６０の径方向において、外枠ワイヤー５０の一端部５１と渦巻ワイヤー６０の巻き終わりである外周側端部６１ａとの間に外枠ワイヤー５０の他端部５２を設けている。この外枠ワイヤー５０の一端部５１及び他端部５２は互いに溶接等で接合されている。渦巻ワイヤー６０の外周側端部６１ａは、外枠ワイヤー５０の他端部５２に溶接等で接合されていると共に、放射状桟７０の棒状桟７２に接合されている。
【００１９】
外枠ワイヤー５０の先端部（端面）同士を接合する場合と比較して、外枠ワイヤー５０の他端部５２側を内側に配置することが可能となり、渦巻ワイヤー６０の間隔Ｓ１を変更せず、外枠ワイヤー５０と渦巻ワイヤー６０の外周側ワイヤー６１ｂとの間隔Ｓ２を狭めることができる。
【００２０】
一方、渦巻ワイヤー６０の外周側端部６１ａの部分と外枠ワイヤー５０の一端部５１側との間隔Ｓ３は、渦巻ワイヤー６０の間隔Ｓ１と比較して狭まる部分が発生する。この場合、外観上の意匠性に関しては、間隔Ｓ３の部分は渦巻ワイヤー６０の周囲の前面パネル１０との色差を感じづらくなっている。また、空力性能に関しては、間隔Ｓ３の部分、即ち、図４に示すＡ部の範囲（約４５°）は、塗膜ブリッジが発生する可能性があるが、そのＡ部の範囲内で最小限に抑えることができ、間隔Ｓ３での影響を少なくすることができる。
【００２１】
次に、ファンガード４０のセンターキャップ８０の構成について、図６及び図７を用いて説明する。
図６は図１におけるセンターキャップを拡大して示す正面図及び側面図、図７は図６におけるセンターキャップの外周枠部の一部を拡大して示す側面図である。
【００２２】
センターキャップ８０は、円形状に形成され、そのセンターキャップ８０の外周部に放射状桟７０を固定する固定部８２が設けられている。具体的には、センターキャップ８０の外周部８０ａに空気吹出口１４側に突出して形成された環状の外周枠部８１と、外周枠部８１から等間隔に空気吹出口１４側に更に突出して設けられ、放射状桟７０を固定するＶ字形状の溝部８２ａを有する固定部８２とを備えている。
【００２３】
外周枠部８１の高さは、図７に示すように、センターキャップ８０の表面からＨ１であり、固定部８２の高さは、外周枠部８１の高さＨ１よりも長いＨ２となっている。これは、後述するが、渦巻ワイヤー６０がセンターキャップ８０を跨ぐ部分があるため、センターキャップ８０と渦巻ワイヤー６０との間にて発生する塗膜ブリッジを防止する目的で外周枠部８１の高さＨ１を短く設定している。固定部８２の溝部８２ａは、放射状桟７０を構成する棒状桟７１、７２、７３の位置決めと溶接等による固定のために設けられている。
【００２４】
次に、ファンガード４０の内周側の構成について、図８及び図９を用いて説明する。
図８は図４におけるＹ部を拡大して示すファンガードの内周側の詳細図、図９は図８のセンターキャップ及び渦巻ワイヤーの一部を矢視Ｚ−Ｚ方向から見て示す断面図である。
【００２５】
本実施の形態においては、センターキャップ８０の外周部８０ａと渦巻ワイヤー６０の内周側ワイヤー６２ａとの間隔Ｓ４が渦巻ワイヤー６０間の間隔Ｓ１とほぼ同等となるようにするために、センターキャップ８０の内側に渦巻ワイヤー６０の巻き始めである内周側端部６２を配置している。この場合、渦巻ワイヤー６０の内周側端部６２がセンターキャップ８０の外周部８０ａを跨ぐ部分ａ（図８参照）がある。
【００２６】
その部分ａは、センターキャップ８０の外周部８０ａと渦巻ワイヤー６０の内周側端部６２との間にて塗膜ブリッジが発生し易いが、本実施の形態においては、図８及び図９に示すように、センターキャップ８０の表面から外周枠部８１の先端までの高さＨ１が固定部８２の先端までの高さＨ２よりも短いため、部分ａに発生し易い塗膜ブリッジを防止することができる。
【００２７】
放射状桟７０を構成する棒状桟７１、７２、７３の他端部は、センターキャップ８０に設けられた固定部８２に溶接等で固定されている。例えば棒状桟７２においては、図９に示すように、固定部８２のＶ字形状の溝部８２ａに固定されている。この溝部８２ａにより放射状桟７０の位置決めとなっている。
【００２８】
本実施の形態によれば、ファンガード４０の外周側においては、外枠ワイヤー５０の一端部５１と渦巻ワイヤー６０の外周側端部６１ａとの間に外枠ワイヤー５０の他端部５２を渦巻ワイヤー６０の径方向に設けている。この構成により、外枠ワイヤー５０の他端部５２側を内側に配置することが可能となり、このため、渦巻ワイヤー６０の間隔Ｓ１を変更せず、外枠ワイヤー５０と渦巻ワイヤー６０の外周側ワイヤー６１ｂとの間隔Ｓ２を狭めることができる。また、ファンガード４０の内周側においては、センターキャップ８０の外周部８０ａと渦巻ワイヤー６０の内周側ワイヤー６２ａとの間隔Ｓ４が渦巻ワイヤー６０間の間隔Ｓ１とほぼ同等となるようにするために、センターキャップ８０の内側に渦巻ワイヤー６０の内周側端部６２を配置している。
【００２９】
以上の構成により、ファンガード４０の外周側と内周側においては、渦巻ワイヤー６０間に手指が入るような部分がなくなり、外観上の意匠性が損なわれることがない。また、必要以上に渦巻ワイヤー６０の間隔Ｓ１を狭める必要がないため、渦巻ワイヤー６０のコストを抑えることができ、渦巻ワイヤー６０間での塗膜ブリッジの発生を抑制でき、これに伴って空力性能の低下を抑えることができる。更に、センターキャップ８０の表面から外周枠部８１の先端までの高さＨ１が固定部８２の先端までの高さＨ２よりも短いため、ファンガード４０の内周側の部分ａに発生し易い塗膜ブリッジを防止することができる。
【００３０】
なお、本実施の形態では、ファンガード４０の外周側においては、外枠ワイヤー５０の一端部５１と渦巻ワイヤー６０の外周側端部６１ａとの間に外枠ワイヤー５０の他端部５２を渦巻ワイヤー６０の径方向に設けるようにしたが、これに限定されるものではない。例えば、渦巻ワイヤー６０の径方向において、外枠ワイヤー５０の一端部５１と他端部５２との間に渦巻ワイヤー６０の外周側端部６１ａを設けるようにしてもよい。
【符号の説明】
【００３１】
１０  前面パネル、１１、１２  側面パネル、１３  天面パネル、１４  空気吹出口、２０  サービスカバー、２１  バルブカバー、３０  熱交換器、３１  送風機、４０  ファンガード、４１  ネジ、５０  外枠ワイヤー、５１  外枠ワイヤーの一端部、５２  外枠ワイヤーの他端部、６０  渦巻ワイヤー、６０ａ  穴、６１ａ  外周側端部、６１ｂ  外周側ワイヤー、６２  内周側端部、６２ａ  内周側ワイヤー、７０  放射状桟、７１、７２、７３  棒状桟、８０  センターキャップ、８０ａ  外周部、８１  外周枠部、８２  固定部、８２ａ  溝部、１００  室外機。
【図１】
0006618629.tif 000002
【図２】
0006618629.tif 000003
【図３】
0006618629.tif 000004
【図４】
0006618629.tif 000005
【図５】
0006618629.tif 000006
【図６】
0006618629.tif 000007
【図７】
0006618629.tif 000008
【図８】
0006618629.tif 000009
【図９】
0006618629.tif 000010